(57)【要約】【課題】  ケース体の着脱作業性の向上を図ることが可能な遊技機の提供を目的とする。【解決手段】  本実施形態のパチンコ遊技機１０によれば、ケース体１２０が、係止フック１６０を中心に下方に垂れた状態で後側表示枠３３に向かって回動された場合に、その回動の過程で第２ガイド部１６８、又は、第１ガイド部１６７と第２ガイド部１６８の両方に摺接することでケース体１２０が徐々に持ち上がって正規取付位置まで案内されるので、ケース体１２０の垂れ下がり量Ｌの大小にかかわらず、ケース体１２０の組付作業を従来よりも効率よく行うことができる。【選択図】  図７
2006304828.tif 000002
【特許請求の範囲】
【請求項１】
遊技機を構成する構成部品の少なくとも１つを収容したケース体と、
前記ケース体がその前面を宛がった状態にして取り付けられる固定ベースとを備えた遊技機において、
前記ケース体には、そのケース体のうち水平横方向における一端部を、前記固定ベースに少なくとも支持或いは係合して連結するための固定補助部と、前記固定補助部を前記固定ベースに連結した状態で前記ケース体を前記固定ベースに向けて移動して正規取付位置に配置したときに、前記固定ベースに固定可能となる固定部とが備えられ、
前記固定ベースには、前記ケース体が前記固定補助部を中心に下方に垂れた状態で移動されたときに、前記ケース体に摺接して前記ケース体を前記正規取付位置側の中継位置まで案内する第１ガイド部と、前記中継位置まで案内された前記ケース体に摺接して前記ケース体を前記正規取付位置まで案内する第２ガイド部とが備えられたことを特徴とする遊技機。
【請求項２】
前記固定補助部は、前記固定ベースに回動可能に連結すると共に、前記固定補助部を中心に前記ケース体を前記固定ベースに向けて回動して正規取付位置に配置することを特徴とする請求項１に記載の遊技機。
【請求項３】
前記第１ガイド部及び前記第２ガイド部は、前記固定ベースから後方に突出した構造をなし、
前記第１ガイド部には、上方に向かうに従って前記第１ガイド部の突出量が小さくなるように一定角度で傾斜した第１傾斜面が形成され、
前記第２ガイド部には、上方に向かうに従って前記第２ガイド部の突出量が小さくなるように一定角度で傾斜した第２傾斜面が形成され、
それら第１傾斜面及び第２傾斜面は、前記ケース体が前記固定補助部を中心に下方に垂れた状態で回動されたときに前記第１傾斜面に先に摺接した後に前記第２傾斜面のみに摺接するように構成されたことを特徴とする請求項１又は２に記載の遊技機。
【請求項４】
前記第１傾斜面と前記第２傾斜面との傾斜角を異ならせたことを特徴とする請求項３に記載の遊技機。
【請求項５】
前記第１ガイド部を、水平横方向に複数設けたことを特徴とする請求項１乃至４の何れかに記載の遊技機。
【請求項６】
前記固定部は、前記ケース体において前記固定補助部とは反対側の側壁から突出した突出部材で構成され、その突出部材に前記第２ガイド部を摺接可能としたことを特徴とする請求項１乃至５の何れかに記載の遊技機。
【請求項７】
前記突出部材と前記固定ベースとの間には、遊技機の前後方向で互いに凹凸嵌合して、前後方向と直交する方向への移動を規制する凹凸嵌合部が備えられたことを特徴とする請求項６に記載の遊技機。
【請求項８】
前記ケース体と前記固定ベースとを別部品とし、前記固定補助部は、前記固定ベースに係合して前記ケース体を前記固定ベースに回動可能に連結するように構成され、
前記ケース体のうち水平横方向における一端部を前記固定ベースに突き合わせかつ前記ケース体の他端側が前記固定ベースから離れたケース装着姿勢にしたことを条件にして、前記固定補助部が前記固定ベースに係合可能となるように構成したことを特徴とする請求項１乃至７の何れかに記載の遊技機。
【請求項９】
前記固定ベースには、前記固定補助部を係止可能なベース側係止部が設けられ、
前記固定補助部は、前記固定ベースに対して前記ケース体の一端側を軸として回動操作されて前記ベース側係止部との係止が解除されるように構成したことを特徴とする請求項１乃至８の何れかに記載の遊技機。
【請求項１０】
前記固定補助部には、前記ケース体の側面から張り出したケース体突部が備えられ、
前記ベース側係止部は、その後面側を前記遊技機の構成部品の少なくとも１つによって覆われており、
前記固定部は前記構成部品に覆われることなく露出しており、
前記ベース側係止部には、前記遊技機の前方或いは後方に向かって起立し、間に前記ケース体突部を挟んで対向した１対の挟持対向壁と、前記ケース体突部の後面に係止した後面係止壁とが備えられ、
前記１対の挟持対向壁と前記後面係止壁とに囲まれた空間のうち前記ケース体側を向いた突部挿入口から前記ケース体突部を挿抜可能としたことを特徴とする請求項９に記載の遊技機。
【請求項１１】
前記固定補助部には、前記遊技機の前方に向かって突出した脚部が設けられ、
前記ケース体突部は、前記脚部の先端から側方に向かって張り出され、
前記固定ベースには、前記脚部を支える脚部支持片が備えられたことを特徴とする請求項１０に記載の遊技機。
【請求項１２】
遊技機を構成する構成部品の少なくとも１つを収容したケース体と、
前記ケース体がその前面を宛がった状態にして取り付けられる固定ベースとを備えた遊技機において、
前記ケース体には、そのケース体のうち水平横方向における一端部を、前記固定ベースに少なくとも支持或いは係合して連結するための固定補助部と、前記固定補助部を前記固定ベースに連結した状態で前記ケース体を前記固定ベースに向けて移動して正規取付位置に配置したときに、前記固定ベースに固定可能となる固定部とが備えられ、
前記固定ベースには、前記ケース体が前記固定補助部を中心に下方に傾斜した状態で移動されたときに、前記ケース体に摺接して前記ケース体を前記正規取付位置側の第１の接近位置まで案内する第１ガイド部と、前記第１の接近位置まで案内された前記ケース体に摺接して前記ケース体を前記正規取付位置側の第２の接近位置まで案内する第２ガイド部とが備えられたことを特徴とする遊技機。
【発明の詳細な説明】
【技術分野】
【０００１】
本発明は、遊技機を構成する構成部品の少なくとも１つを収容したケース体と、ケース体がその前面を宛がった状態にして取り付けられる固定ベースとを備えた遊技機に関する。
【背景技術】
【０００２】
従来、この種の遊技機では、ケース体は遊技板の後面側に螺子のみで固定されていた（例えば、特許文献１参照）。これに対し、本願発明者は、ケース体における水平横方向の一端部を固定ベースに連結し、ケース体を固定ベースの正規取付位置まで移動してから固定ベースに固定する機構を開発した。
【特許文献１】特開２００２−８５４号公報（段落［００２１］、図６）
【特許文献２】特開２００４−２２９７４６号公報（図５）
【発明の開示】
【発明が解決しようとする課題】
【０００３】
ところで、上記した構成では、ケース体が固定ベースに連結した一端部を中心にして下方に垂れ下がった状態が生じ得る。これに対し、従来から遊技機に適用されているガイドローラ（例えば、特許文献２参照）を固定ベース又はケース体に設けて、ずれたケース体を正規取付位置まで案内する対応策が考えられる。
【０００４】
しかしながら、上記ガイドローラでは、大きく垂れ下がったケース体を正規取付位置まで案内することができず、組付作業を効率よく行うことができなかった。
【０００５】
本発明は、上記事情に鑑みてなされたもので、組付作業を効率よく行うことが可能な遊技機の提供を目的とする。
【課題を解決するための手段】
【０００６】
上記目的を達成するためになされた請求項１の発明に係る遊技機は、遊技機を構成する構成部品の少なくとも１つを収容したケース体と、ケース体がその前面を宛がった状態にして取り付けられる固定ベースとを備えた遊技機において、ケース体には、そのケース体のうち水平横方向における一端部を、固定ベースに少なくとも支持或いは係合して連結するための固定補助部と、固定補助部を固定ベースに連結した状態でケース体を固定ベースに向けて移動して正規取付位置に配置したときに、固定ベースに固定可能となる固定部とが備えられ、固定ベースには、ケース体が固定補助部を中心に下方に垂れた状態で移動されたときに、ケース体に摺接してケース体を正規取付位置側の中継位置まで案内する第１ガイド部と、中継位置まで案内されたケース体に摺接してケース体を正規取付位置まで案内する第２ガイド部とが備えられたところに特徴を有する。
【０００７】
請求項２の発明は、請求項１に記載の遊技機において、固定補助部は、固定ベースに回動可能に連結すると共に、固定補助部を中心にケース体を固定ベースに向けて回動して正規取付位置に配置するところに特徴を有する。
【０００８】
請求項３の発明は、請求項１又は２に記載の遊技機において、第１ガイド部及び第２ガイド部は、固定ベースから後方に突出した構造をなし、第１ガイド部には、上方に向かうに従って第１ガイド部の突出量が小さくなるように一定角度で傾斜した第１傾斜面が形成され、第２ガイド部には、上方に向かうに従って第２ガイド部の突出量が小さくなるように一定角度で傾斜した第２傾斜面が形成され、それら第１傾斜面及び第２傾斜面は、ケース体が固定補助部を中心に下方に垂れた状態で回動されたときに第１傾斜面に先に摺接した後に第２傾斜面のみに摺接するように構成されたところに特徴を有する。
【０００９】
請求項４の発明は、請求項３に記載の遊技機において、第１傾斜面と第２傾斜面との傾斜角を異ならせたところに特徴を有する。
【００１０】
請求項５の発明は、請求項１乃至４の何れかに記載の遊技機において、第１ガイド部を、水平横方向に複数設けたところに特徴を有する。
【００１１】
請求項６の発明は、請求項１乃至５の何れかに記載の遊技機において、固定部は、ケース体において固定補助部とは反対側の側壁から突出した突出部材で構成され、その突出部材に第２ガイド部を摺接可能としたところに特徴を有する。
【００１２】
請求項７の発明は、請求項６に記載の遊技機において、突出部材と固定ベースとの間には、遊技機の前後方向で互いに凹凸嵌合して、前後方向と直交する方向への移動を規制する凹凸嵌合部が備えられたところに特徴を有する。
【００１３】
請求項８の発明は、請求項１乃至７の何れかに記載の遊技機において、ケース体と固定ベースとを別部品とし、固定補助部は、固定ベースに係合してケース体を固定ベースに回動可能に連結するように構成され、ケース体のうち水平横方向における一端部を固定ベースに突き合わせかつケース体の他端側が固定ベースから離れたケース装着姿勢にしたことを条件にして、固定補助部が固定ベースに係合可能となるように構成したところに特徴を有する。
【００１４】
請求項９の発明は、請求項１乃至８の何れかに記載の遊技機において、固定ベースには、固定補助部を係止可能なベース側係止部が設けられ、固定補助部は、固定ベースに対してケース体の一端側を軸として回動操作されてベース側係止部との係止が解除されるように構成したところに特徴を有する。
【００１５】
請求項１０の発明は、請求項９に記載の遊技機において、固定補助部には、ケース体の側面から張り出したケース体突部が備えられ、ベース側係止部は、その後面側を遊技機の構成部品の少なくとも１つによって覆われており、固定部は構成部品に覆われることなく露出しており、ベース側係止部には、遊技機の前方或いは後方に向かって起立し、間にケース体突部を挟んで対向した１対の挟持対向壁と、ケース体突部の後面に係止した後面係止壁とが備えられ、１対の挟持対向壁と後面係止壁とに囲まれた空間のうちケース体側を向いた突部挿入口からケース体突部を挿抜可能としたところに特徴を有する。
【００１６】
請求項１１の発明は、請求項１０に記載の遊技機において、固定補助部には、遊技機の前方に向かって突出した脚部が設けられ、ケース体突部は、脚部の先端から側方に向かって張り出され、固定ベースには、脚部を支える脚部支持片が備えられたところに特徴を有する。
【００１７】
請求項１２の発明に係る遊技機は、遊技機を構成する構成部品の少なくとも１つを収容したケース体と、ケース体がその前面を宛がった状態にして取り付けられる固定ベースとを備えた遊技機において、ケース体には、そのケース体のうち水平横方向における一端部を、固定ベースに少なくとも支持或いは係合して連結するための固定補助部と、固定補助部を固定ベースに連結した状態でケース体を固定ベースに向けて移動して正規取付位置に配置したときに、固定ベースに固定可能となる固定部とが備えられ、固定ベースには、ケース体が固定補助部を中心に下方に傾斜した状態で移動されたときに、ケース体に摺接してケース体を正規取付位置側の第１の接近位置まで案内する第１ガイド部と、第１の接近位置まで案内されたケース体に摺接してケース体を正規取付位置側の第２の接近位置まで案内する第２ガイド部とが備えられたところに特徴を有する。
【発明の効果】
【００１８】
［請求項１及び２の発明］
請求項１の遊技機によれば、ケース体の垂れ下がり量が小さい場合には、ケース体が固定ベースに向けて移動する過程で第２ガイド部に摺接して正規取付位置に案内される。また、ケース体の垂れ下がり量が大きい場合には、ケース体が固定ベースに向けて移動する過程で第１ガイド部に摺接して中継位置まで案内され、続いて第２ガイド部に摺接して正規取付位置に案内される。このように本発明によれば、ケース体の垂れ下がりの大小にかかわらず、ケース体が正規取付位置まで案内されるので、組付作業を従来よりも効率よく行うことができる。
【００１９】
ここで、固定補助部を固定ベースに回動可能に連結すると共に、この固定補助部を中心にケース体を固定ベースに向けて回動して正規取付位置に配置する構成にしてもよい（請求項２の発明）。
【００２０】
［請求項３及び４の発明］
請求項３の遊技機によれば、ケース体が垂れ下がった状態で固定ベースに向けて回動されると、ケース体は、最初に第１ガイド部の第１傾斜面に摺接しながら上方に持ち上げられて中継位置まで案内され、続いて第２ガイド部の第２傾斜面のみに摺接しながら更に上方に持ち上げられて正規取付位置まで案内される。
【００２１】
ここで、請求項４の構成のように第１傾斜面と第２傾斜面との間で傾斜角を異ならせれば、第１傾斜面から第２傾斜面へのケース体の受け渡しが容易になる。
【００２２】
［請求項５の発明］
請求項５の遊技機によれば、第１ガイド部の何れか破損した場合には、他の第１ガイド部が破損した第１ガイド部に代わってガイド機能を果たすことができる。
【００２３】
［請求項６の発明］
請求項６の遊技機によれば、ケース体を固定ベースに固定するための固定部材そのものが第２ガイド部に摺接して正規取付位置に案内されるので、仮に、ケース体全体が変形しても、少なくとも固定部材は、正規取付位置に配置され、固定部材の固定作業が容易になる。
【００２４】
［請求項７の発明］
請求項７の遊技機によれば、ケース体が正規取付位置に至ると、突出部材と固定ベースとの間に設けた凹凸嵌合部が互いに凹凸嵌合して、ケース体の垂れが規制される。これにより、組付作業を効率よく行うことができる。
【００２５】
［請求項８の発明］
請求項８の遊技機によれば、ケース体をケース装着姿勢にして固定ベースに向けて回動すると、固定補助部が固定ベースに係合して、ケース体と固定ベースとが回動可能に連結される。
【００２６】
［請求項９の発明］
請求項９の遊技機によれば、ケース体を固定ベースに対して回動操作すると、その操作過程で固定補助部とベース側係止部との係止が解除される。
【００２７】
［請求項１０の発明］
請求項１０の遊技機によれば、ケース体を固定ベースに対して回動操作すると、その操作過程でケース体突部と後面係止壁との係止が解除されて、ケース体突部が突部挿入口から抜け外れる。
【００２８】
一方、固定ベースから取り外したケース体を遊技板の後面側から近づけて、ケース体突部が突部挿入口に臨んだ状態とし、ケース体を固定ベースに対して取り外し時とは反対方向に回動操作すると、その操作過程で、ケース体突部が突部挿入口から１対の挟持対向壁の間に進入し後面係止壁に係止される。
【００２９】
［請求項１１の発明］
請求項１１の遊技機によれば、ケース体突部を突部挿入口に挿抜操作するときに、脚部が脚部支持片によって支持されるので、脚部の破損を防止できる。
【００３０】
［請求項１２の発明］
請求項１２の遊技機によれば、ケース体の垂れ下がり量が小さい場合には、ケース体が固定ベースに向けて移動する過程で第２ガイド部に摺接して正規取付位置側の第２の接近位置まで案内される。また、ケース体の垂れ下がり量が大きい場合には、ケース体が固定ベースに向けて移動する過程で第１ガイド部に摺接して第１の接近位置まで案内され、続いて第２ガイド部に摺接して第２の接近位置まで案内される。このように本発明によれば、ケース体の垂れ下がりの大小にかかわらず、ケース体が正規取付位置側の接近位置まで案内されるので、組付作業を従来よりも効率よく行うことができる。
【発明を実施するための最良の形態】
【００３１】
本発明を適用したパチンコ遊技機１０に係る一実施形態を、図１〜図２２に基づいて説明する。本実施形態のパチンコ遊技機１０は、図３に示すように、遊技場の遊技島に取り付けられる枠体８０と、枠体８０から脱着可能な遊技機本体８１とに区分することができる。まずは、枠体８０について説明すると以下の通りである。枠体８０は、例えば、ボルトによって遊技島に固定された外枠８２に前面枠９０を回動可能に備えてなる。外枠８２は、４つの木製の長板８３を縦長矩形状に接合して構成されており、外枠８２のうち両側辺を構成する長板８３の下端部の間には、前面板８４が差し渡され、その前面板８４の下縁部が、下辺を構成する長板８３に接合されている。
【００３２】
外枠８２のうち一方の側辺には、その上下の２箇所に、金属製のヒンジ片８５，８５が取り付けられている。また、外枠８２のうちヒンジ片８５と反対側の側辺を構成する長板８３には、その上端寄りと下端寄りの内面の２箇所に、１対の被係止部８６，８６が取り付けられている。なお、外枠８２のうちヒンジ片８５を備えた側の外側面には、図１に示すように、プリペイドカードユニット９９が取り付けられている。
【００３３】
前面枠９０は、例えば、合成樹脂で構成され、外枠８２の前面のうち前面板８４より上方部分に対応した矩形構造をなす。前面枠９０の一方の側辺には、その上下の２箇所に、金属製のヒンジ片９１，９１が備えられ、これら各ヒンジ片９１と前記外枠８２に設けた各ヒンジ片８５とを重ねて、ヒンジピン９２を貫通させてある。これにより、前面枠９０が、外枠８２に対して開閉可能となる。
【００３４】
図３に示すように、前面枠９０には、遊技窓９０Ｗが形成されており、前面枠９０の前面には、ガラス枠９５（図１を参照）が遊技窓９０Ｗに重ねて設けられている。ガラス枠９５は、前面枠９０のうちヒンジ片９１側の側縁部に回動可能に取り付けられており、遊技窓９０Ｗより一回り小さな略円形の窓９５Ｗを備えて、そこにガラス板が嵌められている。図１に示すように、ガラス枠９５の前面のうち窓９５Ｗの縁部には、前方に膨出した装飾ランプ９６が備えられている。また、前面枠９０のうち窓９５Ｗよりも上側には、左右に１対のスピーカ５９Ｓ，５９Ｓが設けられている。
【００３５】
図１に示すように、前面枠９０のうち遊技窓９０Ｗの下方には、パチンコ遊技機１０の前方に向かって膨出した上皿２７Ａが設けられている。また、上皿２７Ａを挟むようにして左右に１対のスピーカ５９Ｓ，５９Ｓが設けられている。
【００３６】
前面枠９０のうち、上皿２７Ａよりも下側には、下皿ユニット５０が取り付けられている。下皿ユニット５０は横長形状をなし、前面枠９０に対して開閉可能に取り付けられている。
【００３７】
下皿ユニット５０の前面中央には、パチンコ遊技機１０の前方に膨出した下皿２７Ｂが備えられている。下皿２７Ｂには、上皿２７Ａから移動した遊技球や、ファール球等が貯留される。また、下皿２７Ｂの左側方には、灰皿５１が設けられている。
【００３８】
図１に示すように、下皿２７Ｂの右側方には、操作ノブ２８が備えられている。この操作ノブ２８を操作することで、上皿２７Ａに収容された遊技球が発射装置７０（図２を参照）によって遊技板１１に形成された遊技領域Ｒ１に向けて弾き出されるようになっている。
【００３９】
図３に示すように、前面枠９０のうちヒンジ片９１と反対側の側辺には、１対の係止爪９７，９７が上下に備えられ、この係止爪９７，９７を外枠８２の被係止部８６，８６に係止して、前面枠９０が閉止状態に施錠される。
【００４０】
前面枠９０の後面には、遊技窓９０Ｗを囲むように囲壁９３が起立している。この囲壁９３の内部に後述する遊技板１１が嵌合され、囲壁９３に備えた複数の係止レバー９８にて遊技板１１が前面枠９０に係脱可能に固定される。以上が枠体８０に関する説明である。
【００４１】
次に、遊技機本体８１について説明する。遊技機本体８１は、図３に示す遊技板１１に種々の部品を組み付けてなる遊技盤側アッシと、同図に示した機構板７５に種々の部品を組み付けてなる機構板側アッシの２つのアッシよりなる。
【００４２】
機構板側アッシについて説明すると、機構板７５は、合成樹脂で構成され、図３及び図４に示すように、全体として遊技板１１より縦方向に長い矩形状をなす。機構板７５は、遊技板１１の後面側に重ねて取り付けられている。機構板７５の中央部には、略矩形の着脱操作窓７７が形成されている。この着脱操作窓７７から、遊技板１１の後面に取り付けられたメイン制御装置５２及び表示装置１３（図２を参照）が遊技板１１の後面側に露出している。この着脱操作窓７７により、機構板７５が遊技板１１の後面側に重ねられたままで、表示装置１３の後面側に備えられたケース体１２０を表示装置１３に対して着脱することが可能となっている。なお、着脱操作窓７７の縁部には、図３に示すように、筐体状の透明カバー７６が着脱可能に取り付けられている。
【００４３】
図３に示すように、機構板７５のうち着脱操作窓７７より下方には、払出装置７２を制御する払出制御装置５９と電源装置５８とが横並びにして取り付けられている。また、図２に示すように、電源装置５８の下方には、発射装置７０が取り付けられている。
【００４４】
着脱操作窓７７より上側には、遊技球を貯留する遊技球タンク７５Ｔが設けられ、着脱操作窓７７の側方には遊技球を払い出すための払出装置７２が設けられている。遊技球タンク７５Ｔと払出装置７２との間は、遊技球誘導レール７５Ｒにより連絡されている。
【００４５】
機構板７５のうち、遊技球タンク７５Ｔの側方には、パチンコ遊技機１０の外部から電力を受ける受電装置７３が備えられている。受電装置７３からは図示しない電源コードが延びており、この電源コードが、パチンコホールに備えたＡＣ２４Ｖ電源に接続されている。
【００４６】
図３に示すように、機構板７５のうち払出装置７２が配された側の側部には、上下方向に１対のヒンジピン７１，７１が取り付けられ、これらヒンジピン７１，７１が、前面枠９０の一側部に係合し、機構板７５が前面枠９０に対して回動可能に組み付けられる。以上が機構板側アッシの説明である。
【００４７】
次に遊技盤側アッシを構成する各部品に関して説明すると、遊技板１１は、図３に示すように、木製の概矩形板材で構成されている。また、図１に示すように、遊技板１１の前面には、ガイドレール１２が取り付けられ、ガイドレール１２の内側に遊技球が流下する遊技領域Ｒ１が設けられている。遊技領域Ｒ１の上部には表示装置１３が配置され、表示装置１３の下方には、始動入賞口１４、大入賞口１５及びアウト口１６が、上から順に間隔を開けて並べて設けられている。また、遊技領域Ｒ１のうち、表示装置１３の左側方には始動ゲート１８が設けられ、遊技領域Ｒ１の下部には、ガイドレール１２に沿って一般入賞口２０，２１が設けられている。さらに、これら入賞口以外に、遊技領域Ｒ１には、サイドランプ２２，２２や図示しない複数の障害釘が設けられている。
【００４８】
遊技板１１の前面側の各部位の詳細は、以下のようである。一般入賞口２０，２１は、所謂、ポケット構造をなし、遊技球が丁度１つ入球可能な大きさで上方に開口している。一般入賞口２０，２１へ入球すると、その遊技球は遊技板１１の裏側に取り込まれ、代わりに所定数の賞球が上皿２７Ａに払い出される。
【００４９】
始動ゲート１８は、遊技球が潜って通過可能な門形構造をなし、通過した遊技球は、その始動ゲート１８に内蔵した普通図柄始動スイッチによって検出される。この検出信号に基づいて、普通図柄表示部１８Ｈにおいて図柄が変動表示される。
【００５０】
具体的には、「０」〜「９」までの数字からなる数字図柄を所定期間に亘って変動表示した後、所定の数字図柄を停止表示する。そして、停止表示された数字図柄が、例えば、奇数の場合に、次述する始動入賞口１４が開放状態となる。なお、普通図柄表示部１８Ｈで表示する図柄は、数字図柄に限るものではなく、アルファベットや記号等でもよい。
【００５１】
始動入賞口１４は、所謂、ポケット構造をなして上方に向かって開口しており、その開口の両側部には可動翼片１４Ｃ，１４Ｃが備えられている。これら両可動翼片１４Ｃ，１４Ｃは、常には起立状態になっており、両可動翼片１４Ｃ，１４Ｃに挟まれた始動入賞口１４の開口幅は、遊技球が丁度１つ入る大きさになっている。そして、開放条件が成立する（普通図柄表示部１８Ｈが奇数の数字図柄で停止表示する）と始動入賞口１４が開放状態となる。即ち、遊技板１１の裏に設けたソレノイドにより、始動入賞口１４に備えた可動翼片１４Ｃ，１４Ｃが所定期間（例えば、０．４秒）に亘って横に倒される。これにより、遊技球が可動翼片１４Ｃ，１４Ｃに案内されて始動入賞口１４に入り易い状態になる。
【００５２】
始動入賞口１４に遊技球が入賞すると、始動入賞口１４内に設けた始動口センサが遊技球を検出し、その検出信号に基づいて、例えば、４個の遊技球が上皿２７Ａに払い出されると共に、表示装置１３に備えた液晶表示盤１０１にて図柄が変動表示される。
【００５３】
具体的には、液晶表示盤１０１には、通常、３つの左、中、右の特別図柄が横並びに表示されている。これら各特別図柄は、例えば、「０」〜「１１」の数字を表記した複数種類のもので構成されており、通常は、各特別図柄ごと、所定の種類のものが停止表示されている。そして、始動入賞口１４に遊技球が入賞したときに、これら３つの特別図柄が、上下方向にスクロール表示され、所定時間後に、例えば、左、中、右の順で各特別図柄が停止表示される。このとき、例えば、全ての特別図柄が同じ図柄、即ち、ぞろ目になった場合に、遊技が「大当たり状態」になる。なお、液晶表示盤１０１において特別図柄が変動表示又は「大当たり状態」の最中に始動入賞口１４に入賞した入賞球は、最大で４個まで保留記憶され、特別図柄が停止表示又は「大当たり状態」が終了すると、その保留記憶に基づいて再び、特別図柄が変動表示される。
【００５４】
大入賞口１５は、横長に形成されて、常には、可動扉１５Ｔにて閉塞されている。パチンコ遊技機１０が「大当たり状態」になると、遊技板１１の裏に設けたソレノイドが駆動され、可動扉１５Ｔが所定期間に亘って前側に倒れる。これにより、大入賞口１５が開放され、可動扉１５Ｔを案内にして、大入賞口１５に多くの遊技球が入賞可能となる。ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したかの何れかの条件が先に満たされた場合に終了する。また、「大当たり状態」は、最大で、例えば１５ラウンドまで継続される。
【００５５】
大入賞口１５の内部には、継続入賞口と計数入賞口とが設けられている。より詳細には、可動扉１５Ｔが開いたときには、継続入賞口は開放しており、継続入賞口に入賞後、ソレノイドが駆動されて、継続入賞口が閉鎖される一方、計数入賞口は開放されたままとなる。そして、継続入賞口内に設けた特定領域センサが遊技球の入賞を検出すると、前述した終了条件を満たしてラウンドが終了した後で、連続して次のラウンドが実行される。また、計数入賞口内に設けたカウントセンサが遊技球の入賞を検出すると、継続入賞口への入賞球と合わせて、大入賞口１５への入賞球がカウントされ、これらが前記したように計１０個に達したか否かがチェックされる。なお、大入賞口１５に遊技球が入賞すると、例えば、１５個の遊技球が上皿２７Ａに払い出される。
【００５６】
表示装置１３は、遊技板１１に取り付けられた表示枠体３０（図５を参照）の後側に、液晶モジュール１００（図８を参照）を備えてなる。そして、液晶モジュール１００に備えた液晶表示盤１０１が、表示枠体３０で囲まれた表示窓３０Ｗを介して遊技板１１の前面側から視認可能となっている。
【００５７】
図５に示すように、表示枠体３０の下辺部には、上側ステージ３１Ｊと、上側ステージ３１Ｊよりも前側でかつ段付き状に低くなった下側ステージ３１Ｓとが設けられている。表示枠体３０の内側に転入した遊技球は、これら上側ステージ３１Ｊ及び下側ステージ３１Ｓを転動した後で、表示枠体３０の前端縁から表示装置１３の下方へ流下する。
【００５８】
表示枠体３０は、図６に示すように、遊技板１１に貫通形成された遊技板開口部１１Ｋに対し、遊技板１１の前面に取り付けた前側表示枠３２と、遊技板１１の後面に取り付けた後側表示枠３３とからなる。
【００５９】
前側表示枠３２は、その後端縁を遊技板開口部１１Ｋの内側に嵌合しかつ、側方に張り出した敷設板３２Ｆを遊技板１１の前面に敷設して螺子止めされている。前側表示枠３２の上辺は遊技板１１の前面側に張り出しており、表示装置１３の上方から流下した遊技球が、表示枠体３０の内側に進入しないようになっている。
【００６０】
前側表示枠３２の上辺中央には、図５に示す普通図柄表示部１８Ｈとしての７セグメントＬＥＤが内蔵され、その周辺部には、複数の装飾用ＬＥＤが内蔵されている。これらＬＥＤの光は、例えば、透光性の合成樹脂で構成された前側表示枠３２を透過してパチンコ遊技機１０の前面側に照射される。
【００６１】
前側表示枠３２の一方の側辺の内部には、前側表示枠３２の側方に開放し、遊技板１１上を流下する遊技球を表示枠体３０の内側に誘導するワープ路３４が形成されている。ワープ路３４を通過した遊技球は、前側表示枠３２の下辺に設けられた下側ステージ３１Ｓの左端部に案内されるようになっている。
【００６２】
下側ステージ３１Ｓは、前側表示枠３２の左右両側辺を繋ぐように延び、左右の両端部から中央部に向かって下るように傾斜している。また、下側ステージ３１Ｓの中央部は、前方に向かって下るように緩やかに傾斜した緩斜面３１Ｋとなっている。遊技球は、下側ステージ３１Ｓ上を左右に遊転した後で下側ステージ３１Ｓの前端部から表示装置１３の下方に流下する。以上が、前側表示枠３２の説明である。
【００６３】
次に、本発明の「固定ベース」に相当する後側表示枠３３について説明する。後側表示枠３３は、例えば合成樹脂で構成され、図７に示すように全体として横長の枠形構造をなしている。後側表示枠３３の前面側の縁部からは敷設板３３Ｆが側方に張り出しており、この敷設板３３Ｆを遊技板１１の後面に敷設して螺子止めされている。そして、後側表示枠３３のほぼ中央部に設けられた横長矩形の表示盤対向窓３６が遊技板開口部１１Ｋに前後方向（遊技板１１の板厚方向）で整合している（図６を参照）。
【００６４】
図７に示すように、後側表示枠３３の下辺は上側ステージ３１Ｊとなっている。上側ステージ３１Ｊは、前方に向かって緩やかに下った平坦面で構成されている。上側ステージ３１Ｊの前縁部からは庇部３８が張り出しており、この庇部３８が下側ステージ３１Ｓの上方を覆っている（図５を参照）。庇部３８の上面は、左右の両端部から中央部に向かって下るように傾斜しかつ中央部が緩やかに盛り上がっている。そして、上側ステージ３１Ｊに転入した遊技球は、庇部３８に向かって転がり、庇部３８の前端縁から表示装置１３の下方へ流下するようになっている。
【００６５】
後側表示枠３３の下辺と上辺には、複数のＬＥＤ（図示せず）が内蔵されている。これらＬＥＤの光は、例えば、透光性の合成樹脂で構成された後側表示枠３３を透過して表示枠体３０の内側や、パチンコ遊技機１０の前面側に照射されるようになっている。
【００６６】
後側表示枠３３のうち、表示盤対向窓３６を挟んでワープ路３４と反対側の側部には、図示しない可動役物が備えられており、遊技状況に応じて可動役物が表示枠体３０の内側で動作するようになっている。例えば、可動役物は、動作時には表示盤対向窓３６の側方から液晶表示盤１０１の前面に重なるように移動し、停止時には液晶表示盤１０１の前面側から退避している。可動役物は、例えば、モータＭによって駆動され、後側表示枠３３の一側壁には、このモータＭを収納したモータ収納部３９が設けられている。このように、可動役物を後側表示枠３３に設けたので、可動役物を後側表示枠３３と別個に設けた場合と比較して、遊技板１１の後面のスペースを有効利用することができると共に、遊技領域Ｒ１を広く利用することができる。
【００６７】
表示盤対向窓３６は、後側表示枠３３の後面に取り付けられた透明な樹脂板３７で塞がれている。後側表示枠３３の後面には、表示盤対向窓３６を囲むように防塵壁３６Ｈが形成されている。そして、表示盤対向窓３６に液晶表示盤１０１の前面が対向配置され、液晶表示盤１０１の前面の周縁部が防塵壁３６Ｈに突き当てられている。これにより、樹脂板３７と液晶表示盤１０１の前面との隙間に埃が侵入することが防止されている。以上が、表示枠体３０の説明である。
【００６８】
次に、液晶モジュール１００について説明する。液晶モジュール１００は、図８に示すように、液晶表示盤１０１と表示制御基板１０２とを金属製の板金ブラケット１１０によって一体に固定してなる。
【００６９】
液晶表示盤１０１は、図９に示すように横長の矩形板状をなし、後側表示枠３３側を向いた前面が画像を表示する表示画面１０１Ｇとなっている。また、液晶表示盤１０１の後面と周縁部は、金属製の板金カバー１０１Ｋで覆われている。そして、液晶表示盤１０１は、図１０に示すように、後面を板金ブラケット１１０の前面に面接触させた状態で螺子止めされている。
【００７０】
表示制御基板１０２は、複数の基板１０２ａ〜１０２ｄから構成され、これら複数の基板が互いに電気的に接続されている。詳細には、図９に示すように、横長の主基板１０２ａの両側に、縦長の第１サブ基板１０２ｂ及び第２サブ基板１０２ｃが備えられ、主基板１０２ａの後方に重なるようにして、主基板１０２ａよりも小さい横長の第３サブ基板１０２ｄが備えられている。
【００７１】
図９に示すように、板金ブラケット１１０には、表示制御基板１０２を固定するための複数（例えば、４つ）の基板固定脚部１１３が備えられている。なお、図９には、複数の基板固定脚部１１３のうちの２つのみが示されている。
【００７２】
図１０に示すように、基板固定脚部１１３は、板金ブラケット１１０から後側に起立した板金片の後端部を直角曲げした構造をなす。そして、表示制御基板１０２は、基板固定脚部１１３の後端片１１３Ｋに突き当てられて螺子止めされている。即ち、表示制御基板１０２は板金ブラケット１１０の後面から浮いた状態に固定されている（図６を参照）。
【００７３】
ここで、液晶表示盤１０１が板金ブラケット１１０に面接触したことで、液晶表示盤１０１から発する熱が放熱し易くなっている。また、表示制御基板１０２が板金ブラケット１１０の後面から浮いていることで、液晶表示盤１０１からの熱が表示制御基板１０２に伝わり難くなっている。
【００７４】
図９に示すように、板金ブラケット１１０の上辺には、１対の起立係止片１１６，１１６が形成されている。起立係止片１１６，１１６は、図８に示すように、液晶表示盤１０１の上辺よりも上方に張り出している。また、板金ブラケット１１０の下辺には、係止凹部１１５が形成されている。係止凹部１１５は、例えば、板金ブラケット１１０を矩形状に切り欠いた構造をなし、図１１に示すように、板金ブラケット１１０のうち、液晶表示盤１０１の側方にはみ出した部分に設けられている。以上が、液晶モジュール１００の説明である。
【００７５】
ところで、上述した液晶モジュール１００は、図８に示すように後側表示枠３３に対して着脱可能なケース体１２０に収容されている。ケース体１２０は、例えば、透明な樹脂（より詳細には、ＡＢＳ樹脂）で構成され、遊技板１１側（前面側）に開口した横長の箱形状をなす。ケース体１２０は、液晶モジュール１００の後面と側面とを覆いかつ、前面開口部１２３から液晶モジュール１００の前面側に備えた液晶表示盤１０１を露出させている。ケース体１２０の前面開口部１２３は、後側表示枠３３の表示盤対向窓３６及び遊技板１１の遊技板開口部１１Ｋに前後方向で整合しており、これら、表示盤対向窓３６及び遊技板開口部１１Ｋを介して前面開口部１２３から液晶表示盤１０１が視認可能となっている。また、ケース体１２０を透明な樹脂で構成したことで、内部に収容された液晶モジュール１００がケース体１２０の外から視認可能となり、液晶モジュール１００の不具合（例えば、ケース体１２０に液晶モジュール１００を収容する際に配線が挟まる等）を視認して組み付け不良を未然に防止することができる。また、液晶モジュール１００の配線不良や組み付け不良を発見し易くなる。
【００７６】
図７に示すように、ケース体１２０の後壁１２１には、液晶モジュール１００とケース体１２０の外部の他の電気部品（例えば、電源装置５８等）とを配線で接続するための配線接続孔１２２が形成されている。また、ケース体１２０の全体に亘って、液晶モジュール１００から発する熱をケース体１２０の外部に放熱するための放熱孔が形成されている。さらに、図８に示すように、ケース体１２０の内側には複数の補強リブ１２５が形成されている。
【００７７】
図７に示すように、ケース体１２０の上壁１２４Ｊには、１対の係止スリット１２７，１２７が形成されている。係止スリット１２７，１２７は、ケース体１２０の長手方向に延びた細長孔形状をなす。そして、液晶モジュール１００の上辺から張り出した１対の起立係止片１１６，１１６が、ケース体１２０の内側から係止スリット１２７，１２７に突入して係止している（図１１を参照）。
【００７８】
図８に示すように、ケース体１２０の上壁１２４Ｊの内面には、係止片案内部が設けられている。係止片案内部は、係止スリット１２７の長手方向における両端部からケース体１２０の前面開口部１２３に向かって平行に延びた１対の突条１２８，１２８で構成されている。そして、液晶モジュール１００をケース体１２０に収容させる過程で、起立係止片１１６，１１６がこれら突条１２８，１２８の間をスライドして係止スリット１２７，１２７に案内されるようになっている。
【００７９】
図１１の（Ａ）に示すように、ケース体１２０の内側には係止爪１２９が形成されている。同図の（Ｂ）に示すように、係止爪１２９は、後壁１２１から前面開口部１２３に向かって起立している。係止爪１２９は、帯板部材の先端部に、断面矢尻形状の係止突部１２９Ｔを備えた構造をなしている。そして、液晶モジュール１００が収容される過程で、係止爪１２９は板金ブラケット１１０の下辺に摺接して外側に弾性変形し、板金ブラケット１１０が係止爪１２９の係止突部１２９Ｔを通過すると、係止爪１２９は元の形状に復元して係止突部１２９Ｔが板金ブラケット１１０の係止凹部１１５に係止する。
【００８０】
このように、液晶モジュール１００に備えた起立係止片１１６，１１６と係止凹部１１５とが、ケース体１２０に備えた係止スリット１２７，１２７と係止爪１２９とにそれぞれ係止することで、液晶モジュール１００がケース体１２０に一体に取り付けられている。
【００８１】
なお、係止爪１２９は、後壁１２１と繋がった補強リブ１２９Ｒによって補強されている。また、図８に示すように、ケース体１２０の内側には、後壁１２１から前面開口部１２３に向かって起立した位置決め突起部１３０が形成され、液晶モジュール１００がケース体１２０に収容されると、位置決め突起部１３０が板金ブラケット１１０に形成された図示しない位置決め孔と凹凸嵌合するように構成されている。
【００８２】
さて、上記ケース体１２０は、以下に説明する取付構造により、その前面を後側表示枠３３の後面に宛がった状態にして取り付けられている。即ち、後側表示枠３３の後面には、１対の嵌合ボス部１５０，１５０が設けられている。嵌合ボス部１５０，１５０は、後側表示枠３３を後面側から見たときの（図１３における）表示盤対向窓３６の左側方に上下に並んで設けられている。嵌合ボス部１５０は、後側表示枠３３の後面から起立して先細りとなっており、中心部に螺子孔１５０Ｎが形成された略円筒構造をなしている。図１５〜１８に示すように、遊技板１１の後面側に機構板７５が取り付けられると、これら嵌合ボス部１５０，１５０は着脱操作窓７７の内側に配置され、ケース体１２０を取り外した状態でパチンコ遊技機１０の後面側に露出するようになっている。
【００８３】
一方、ケース体１２０には１対のボス受容部１５１，１５１が設けられている。ボス受容部１５１，１５１は、ケース体１２０の水平横方向を向いた一側壁、具体的には、ケース体１２０を後面側から見たときの（図４における）左側壁１２４Ｌに上下に並んで設けられている。ボス受容部１５１は、ケース体１２０の左側壁１２４Ｌから側方に突出しかつ、後側表示枠３３側に開放した袋構造をなしている（図１２を参照）。そして、ケース体１２０が後述する正規取付位置に取り付けられときには、ボス受容部１５１と後側表示枠３３の嵌合ボス部１５０とがパチンコ遊技機１０の前後方向で互いに凹凸嵌合するように構成されている。
【００８４】
図１２に示すように、ボス受容部１５１の後端壁１５１Ｋには、ケース体１２０の前後方向に貫通した螺子挿通孔１５３が形成されている。また、ボス受容部１５１の内側空間には突壁１５２が形成されている。そして、嵌合ボス部１５０とボス受容部１５１とが互いに凹凸嵌合した状態で、螺子挿通孔１５３から挿入した雄螺子１４０を嵌合ボス部１５０の螺子孔１５０Ｎに螺合することで、ケース体１２０の左側壁１２４Ｌ側が後側表示枠３３に固定される（図１５を参照）。ここで、ボス受容部１５１の内部空間に形成された突壁１５２によって、嵌合ボス部１５０とボス受容部１５１とが凹凸嵌合したときに、螺子挿通孔１５３と螺子孔１５０Ｎとが連通するように位置決めされる。なお、ボス受容部１５１，１５１は本発明の「固定部」及び「突出部材」に相当し、嵌合ボス部１５０とボス受容部１５１とが、本発明の「凹凸嵌合部」に相当する。
【００８５】
図１１の（Ａ）に示すように、ケース体１２０のうち、水平横方向においてボス受容部１５１とは反対側の側壁（以下、「右側壁１２４Ｒ」という）には、上下に１対の係止フック１６０，１６０（本発明の「固定補助部材」に相当する）が設けられている。図１２に示すように、係止フック１６０，１６０は、ケース体１２０の前面開口部１２３から後側表示枠３３側に延びた長板状の脚部１６０Ｋと、その脚部１６０Ｋの先端から側方に張り出した板状のケース体突部１６０Ｔとから構成される。また、これら係止フック１６０，１６０の縁部には、補強リブ１６０Ｒが形成されている。
【００８６】
一方、後側表示枠３３のうち、表示盤対向窓３６を挟んで嵌合ボス部１５０と反対側の側部には、１対の係止ボックス１６１，１６１（本発明の「ベース側係止部」に相当する）が備えられている（図７を参照）。係止ボックス１６１は、敷設板３３Ｆから起立して上下方向で対向した１対の挟持対向壁１６２，１６２を備え、それら挟持対向壁１６２，１６２の後端部同士の間に後面係止壁１６３を差し渡して水平方向に開口した門型構造部を構成し、その門型部分のうち、外側を向いた（換言すれば、ケース体１２０とは反対側の）開口を奥壁１６４で塞いだ構造をなす。そして、図４及び図１５〜１８に示すように、遊技板１１の後面側に機構板７５が取り付けられると、両係止ボックス１６１，１６１は、着脱操作窓７７の外側に配置され、機構板７５によって後面側が覆われるようになっている。
【００８７】
そして、係止ボックス１６１の内側を向いた（換言すれば、ケース体１２０側に開口した）突部挿入開口１６５（図１４を参照）から係止フック１６０のケース体突部１６０Ｔが挿入され、そのケース体突部１６０Ｔの後面（ケース体１２０の後面側）が係止ボックス１６１の後面係止壁１６３に係止することで、ケース体１２０の右側壁１２４Ｒ側が後側表示枠３３に固定されている（図１５を参照）。ここで、係止フック１６０と係止ボックス１６１とが係止すると、ケース体突部１６０Ｔの周囲が、挟持対向壁１６２，１６２と後面係止壁１６３と奥壁１６４とによって囲まれるので、ケース体突部１６０Ｔを保護することができる。また、ケース体突部１６０Ｔは、脚部１６０Ｋの先端から側方に張り出した形状にしたので、機構板７５によって後面側が覆われた係止ボックス１６１の突部挿入開口１６５への挿抜操作が容易になると共に、その後面を係止ボックス１６１の後面係止壁１６３に係止することが可能になる。
【００８８】
ケース体１２０の取付構造を纏めると以下のようである。即ち、ケース体１２０の右側壁１２４Ｒに設けられた係止フック１６０を後側表示枠３３の係止ボックス１６１に係止しかつ、ケース体１２０の左側壁１２４Ｌに設けられたボス受容部１５１を後側表示枠３３の嵌合ボス部１５０と凹凸嵌合して螺子止めすることで、ケース体１２０が後側表示枠３３に取り付けられている。このように、ケース体１２０の前面を後側表示枠３３の後面に宛がった状態に固定されたときのケース体１２０の位置が、本発明の「正規取付位置」となる（図４を参照）。なお、図示しないが、正規取付位置に取り付けられたケース体１２０の側面と後側表示枠３３の後面との間には、剥がれると貼付面に剥がれたことを示す印が残る封止シールが貼り付けられている。これにより、ケース体１２０が後側表示枠３３から取り外された場合や、正規取付位置からずらされた場合にその形跡が残り、ケース体１２０の不正な操作が確認し易くなっている。
【００８９】
ここで、図１３に示すように、両係止ボックス１６１，１６１の突部挿入開口１６５，１６５側には、脚部支持片１６６，１６６が設けられている。脚部支持片１６６は、図７に示すように、敷設板３３Ｆから後方に起立して、係止ボックス１６１のうち下側の挟持対向壁１６２と後側表示枠３３の側壁３３Ｓとの間を繋いでいる。
【００９０】
図１５〜１８に示すように、両脚部支持片１６６，１６６は、遊技板１１の後面側に機構板７５が取り付けられた状態で着脱操作窓７７の内側に配置され、ケース体１２０が取り外されると、パチンコ遊技機１０の後面側に露出するようになっている（図１６を参照）。
【００９１】
そして、ケース体１２０を後側表示枠３３に取り付ける過程で、係止フック１６０の下面をこれら脚部支持片１６６，１６６に摺接させることで、係止フック１６０のケース体突部１６０Ｔを突部挿入開口１６５に臨んだ位置まで案内することができる。
【００９２】
ところで、図７に示すように、後側表示枠３３の後面には、ケース体１２０を後側表示枠３３に取り付ける過程でケース体１２０を正規取付位置に案内する第１ガイド部１６７と第２ガイド部１６８とが設けられている。
【００９３】
第１ガイド部１６７は、後側表示枠３３のうち、表示盤対向窓３６の下辺に沿って延びると共に、水平方向に複数（本実施形態では、２つ）並んで設けられている。第１ガイド部１６７は、後側表示枠３３から後方に突出した構造をなし、上方に向かう（表示盤対向窓３６に近づく）に従ってその突出量が小さくなるように一定角度で傾斜した第１傾斜面１６７Ａを備える。本実施形態では、第１傾斜面１６７Ａの傾斜角（後側表示枠３３の後面に対して第１傾斜面１６７Ａがなす角度）は、約３０度となっている。
【００９４】
第２ガイド部１６８は、嵌合ボス１５０，１５０の下方位置にそれぞれ１つずつ設けられている。第２ガイド部１６８も第１ガイド部１６７と同様に、後側表示枠３３から後方に突出した構造をなし、上方に向かう（嵌合ボス１５０，１５０に近づく）に従ってその突出量が小さくなるように一定角度で傾斜した第２傾斜面１６８Ａを備える。本実施形態では、第２傾斜面１６８Ａの傾斜角（後側表示枠３３の後面に対して第２傾斜面１６８Ａがなす角度）は、約４５度となっている。つまり、第１傾斜面１６７Ａの傾斜角と第２傾斜面１６８Ａの傾斜角とが異ならせてある。
【００９５】
以上が、本実施形態のパチンコ遊技機１０の構造の説明である。なお、本実施形態のパチンコ遊技機１０は、上述したように複数の構成部品（具体的には、外枠８２、前面枠９０、ガラス枠９５、遊技板１１、機構板７５及びそれらに組み付けられた種々の部品）から構成されている。従って、ケース体１２０は、その構成部品の１つである液晶モジュール１００を収容し、係止ボックス１６１は、構成部品の１つである機構板７５によってその後面側を覆われていると言える。
【００９６】
次に、上記構成からなる本実施形態の作用・効果を説明する。
本実施形態のパチンコ遊技機１０は、遊技場に備えた遊技島に、枠体８０を固定することで遊技場に設置される。そして、そのパチンコ遊技機１０に、例えばトラブルが生じた場合に、前面枠９０が開かれる。すると、前面枠９０に回動可能に組み付けられた遊技機本体８１が、前面枠９０と共に遊技島の前方に引き出され、遊技機本体８１の後面側、即ち、機構板７５を操作可能になる。
【００９７】
なお、前面枠９０を開くには、鍵をパチンコ遊技機１０の前面の一側部に設けられた解錠装置２００（図１を参照）に挿入して、時計回り方向に回せばよい。また、開いた前面枠９０を閉じて施錠するには、前面枠９０を外枠８２に押し付ければよい。
【００９８】
さて、パチンコ遊技機１０からケース体１２０を取り外す場合には、以下のように操作する。
まず、前面枠９０を開いて、機構板７５の後面側を露出させる。次に、機構板７５の着脱操作窓７７を覆った透明カバー７６を取り外す。すると、液晶モジュール１００を収容したケース体１２０が着脱操作窓７７からパチンコ遊技機１０の後面側に露出される（図１５の状態）。
【００９９】
次いで、ケース体１２０の左側壁１２４Ｌと後側表示枠３３とを固定した雄螺子１４０を、機構板７５の後面側から工具を用いて取り外す。雄螺子１４０を取り外すと、ケース体１２０を後側表示枠３３（遊技板１１）に対して動かすことが可能となるが、後側表示枠３３の嵌合ボス部１５０，１５０とケース体１２０のボス受容部１５１，１５１は互いに凹凸嵌合したままなので、雄螺子１４０を取り外したことで、ケース体１２０が前後方向（図１５における上下方向）と直交する方向にがたついたり、自重によって下方に垂れたりすることが防止される。
【０１００】
次いで、ケース体１２０を把持し、着脱操作窓７７の内側でケース体１２０を回動操作する。具体的には、ケース体１２０の右側壁１２４Ｒ側を中心としてボス受容部１５１を嵌合ボス部１５０から引き離すように回動操作する（図１８の状態）。すると、ケース体１２０の右側壁１２４Ｒに設けられた係止フック１６０のケース体突部１６０Ｔが、係止ボックス１６１の内側空間（挟持対向壁１６２，１６２の間）で回動し、ケース体突部１６０Ｔと係止ボックス１６１の後面係止壁１６３とが離間して係止が解除される。さらに、ケース体１２０の左側壁１２４Ｌが後側表示枠３３から離れるに従って、ケース体突部１６０Ｔは徐々に突部挿入開口１６５から引き抜かれる。そして、図１７に示すように、ケース体突部１６０Ｔが完全に突部挿入開口１６５から引き抜かれたら、ケース体１２０の全体をそのままの姿勢で後側表示枠３３の後方へ移動させる。これにより、機構板７５を遊技板１１の後面側に取り付けたままで、ケース体１２０が遊技板１１の後面側から取り外される（図１６の状態）。
【０１０１】
ここで、図１９に示すように、ケース体１２０を後側表示枠３３から離すように回動操作する際に、ケース体１２０のボス受容部１５１を第２ガイド部１６８の第２傾斜面１６８Ａに摺接させるとケース体１２０の姿勢が安定するので、ケース体１２０の落下を防ぐことができる。
【０１０２】
これに対し、ケース体１２０を後側表示枠３３に取り付ける場合には、取り外す場合と逆の操作をする。即ち、ケース体１２０の左側壁１２４Ｌを後側表示枠３３から離すようにしてケース体１２０を後側表示枠３３に対して傾けた姿勢とし、右側壁１２４Ｒ側から着脱操作窓７７の内側に挿入する（図１６を参照）。このとき、係止フック１６０，１６０の下面を脚部支持片１６６，１６６の上面に摺接させると、ケース体突部１６０Ｔ，１６０Ｔが係止ボックス１６１，１６１の突部挿入開口１６５，１６５に臨んだ位置に案内される。即ち、ケース体１２０の右側壁１２４Ｒ側が後側表示枠３３に突き合わされ、ケース体１２０の左側壁１２４Ｌ側が後側表示枠３３から離れたケース装着姿勢になる（図１７の状態）。
【０１０３】
ケース体１２０をケース装着姿勢にしたら、ケース体１２０の右側壁１２４Ｒ側を中心として、ケース体１２０の左側壁１２４Ｌを後側表示枠３３に近づけるように回動操作する。すると、係止フック１６０のケース体突部１６０Ｔが突部挿入開口１６５から挟持対向壁１６２，１６２の間に進入する（図１８の状態）。そして、ケース体１２０の左側壁１２４Ｌ側が後側表示枠３３に近づくに従って、ケース体突部１６０Ｔが係止ボックス１６１の後面係止壁１６３に近づき、ケース体１２０の左側壁１２４Ｌに備えたボス受容部１５１，１５１が後側表示枠３３の嵌合ボス部１５０，１５０に嵌合すると、ケース体突部１６０Ｔの後面が後面係止壁１６３に係止して、ケース体１２０が正規取付位置に到達し、ケース体１２０の右側壁１２４Ｒ側が後側表示枠３３に固定される（図１５の状態）。最後に、ケース体１２０を正規取付位置に配置した状態で、ボス受容部１５１の後方から挿入した雄螺子１４０を嵌合ボス部１５０に螺合させると、ケース体１２０の左側壁１２４Ｌ側が後側表示枠３３に固定される。即ち、遊技板１１の後面側に機構板７５を取り付けたままで、ケース体１２０を遊技板１１の後面側に取り付けることができる。
【０１０４】
ここで、本実施形態では、ケース体１２０が後側表示枠３３に対して回動しているときに、ケース体１２０の脚部１６０Ｋが脚部支持片１６６により下方から支持されているので、ケース体１２０の回動中に脚部１６０Ｋに過剰な負荷がかかることが防止され、脚部支持片１６６を設けない場合と比較して脚部１６０Ｋの破損が生じ難くなる。
【０１０５】
また、本実施形態では、ケース体１２０を後側表示枠３３に近づける際に、ケース体１２０を後側表示枠３３に対して所定の角度以上傾けないと、係止フック１６０のケース体突部１６０Ｔと係止ボックス１６１の後面係止壁１６３とが互いに接触（干渉）して、ケース体突部１６０Ｔを係止ボックス１６１の突部挿入開口１６５に臨んだ位置に配置することが不可能な構成となっている。
【０１０６】
ところで、本実施形態では、ケース体１２０をケース装着姿勢にしてケース体突部１６０Ｔを係止ボックス１６１の内部空間に突入させたときに、係止ボックス１６１の挟持対向壁１６２，１６２及び後面係止壁１６３とケース体突部１６０Ｔとの間に若干の隙間が形成される。このため、前述の操作によりケース体１２０を後側表示枠３３に取り付ける場合に、ケース体１２０をケース装着姿勢にしてから後側表示枠３３に向けて回動操作する間にケース体１２０がケース体突部１６０Ｔを中心として下方へ垂れ下がることがある。しかしながら、このような場合でも、本実施形態によれば、ケース体１２０を後側表示枠３３に向かって回動する過程で第１ガイド部１６７及び／又は第２ガイド部１６８によって正規取付位置に向けて案内することができる。
【０１０７】
図１９に示すように、ケース体１２０の垂れ下がり量Ｌ（例えば、嵌合ボス部１５０の螺子孔１５０Ｎの中心とボス受容部１５１の螺子挿通孔１５３の中心との距離）が比較的小さい場合には以下のようである。即ち、ケース体１２０を垂れ下がった状態で後側表示枠３３に向けて回動操作すると、途中で、ケース体１２０のボス受容部１５１の縁部が第２ガイド部１６８の第２傾斜面１６８Ａに当接する（図２０の状態）。ここからケース体１２０を更に後側表示枠３３に向けて回動操作すると、ボス受容部１５１が第２傾斜面１６８Ａに摺接することで、ケース体１２０の全体が徐々に上方に持ち上がり、垂れ下がり量Ｌが次第に小さくなる。そして、ケース体１２０が水平姿勢となると、ボス受容部１５１が嵌合ボス部１５０に凹凸嵌合する。即ち、ケース体１２０を後側表示枠３３に向かって回動操作する過程で、下方に垂れ下がったケース体１２０が第２ガイド部１６８により持ち上がって正規取付位置に案内される。なお、この場合、ケース体１２０は第１ガイド部１６７に摺接することはない。
【０１０８】
また、図２１に示すように、ケース体１２０の垂れ下がり量Ｌが比較的大きい場合には以下のようである。即ち、ケース体１２０を垂れ下がった状態で後側表示枠３３に向けて回動操作すると、途中で、ケース体１２０の下辺前縁部が、右側壁１２４Ｒに近い側にある第１ガイド部１６７の第１傾斜面１６７Ａのみに先に当接する（図２２の状態）。この状態でケース体１２０を更に後側表示枠３３に向けて回動操作すると、ケース体１２０の下辺前縁部が第１傾斜面１６７Ａに摺接することで、ケース体１２０の全体が徐々に上方に持ち上がり、ケース体１２０の垂れ下がり量Ｌが次第に小さくなる。
【０１０９】
ケース体１２０の垂れ下がり量Ｌが比較的小さくなると、ケース体１２０の下辺前縁部が第１ガイド部１６７の第１傾斜面１６７Ａに当接しかつ、ボス受容部１５１の縁部が第２ガイド部１６８の第２傾斜面１６８Ａに当接した中継位置となる。この中継位置において、ケース体１２０を正規取付位置に案内するガイド部が第１ガイド部１６７から第２ガイド部１６８に移行する。
【０１１０】
即ち、ケース体１２０を中継位置から更に後側表示枠３３に向けて回動操作すると、ケース体１２０の下辺前縁部が第１ガイド部１６７から離間する一方、ボス受容部１５１が第２傾斜面１６８Ａに摺接してケース体１２０の全体が徐々に上方に持ち上がって、ケース体１２０の垂れ下がり量Ｌが更に小さくなる。そして、ケース体１２０が水平姿勢になると、ボス受容部１５１が嵌合ボス部１５０に凹凸嵌合してケース体１２０が正規取付位置に配置される。即ち、ケース体１２０を後側表示枠３３に向かって回動操作する過程で、下方に垂れ下がったケース体１２０が第１ガイド部１６７により持ち上げられて中継位置まで案内され、続いて中継位置から第２ガイド部１６８により持ち上げられて正規取付位置まで案内される。
【０１１１】
なお、ケース体１２０が正規取付位置に配置されると、図４に示すように、第１ガイド部１６７，１６７の上縁部がケース体１２０の下辺前縁部に当接し、第２ガイド部１６８，１６８の上縁部がボス受容部１５１，１５１の下縁に当接した状態になる。
【０１１２】
このように本実施形態のパチンコ遊技機１０によれば、ケース体１２０が、係止フック１６０を中心に下方に垂れた状態で後側表示枠３３に向かって回動された場合に、その回動の過程で第２ガイド部１６８、又は、第１ガイド部１６７と第２ガイド部１６８の両方に摺接することでケース体１２０が徐々に持ち上がって正規取付位置まで案内されるので、ケース体１２０の垂れ下がり量Ｌの大小にかかわらず、ケース体１２０の組付作業を従来よりも効率よく行うことができる。
【０１１３】
また、第１ガイド部１６７及び第２ガイド部１６８を複数設けたことによって、第１ガイド部１６７又は第２ガイド部１６８の１つが破損した場合であっても、破損した部材に代わって他の部材がケース体１２０を正規取付位置に案内することができる。
【０１１４】
さらに、ケース体１２０を後側表示枠３３の後面に対して回動操作する過程で、機構板７５によって覆われた係止ボックス１６１とケース体１２０の係止フック１６０との係止及び係止解除が行われ、機構板７５を遊技板１１の後面側に取り付けたままでケース体１２０を遊技板１１に対して着脱できる。これにより、遊技板１１の後面の機構板７５で覆われた領域を、ケース体１２０を配置するスペースとして有効利用することができ、例えば、液晶モジュール１００の大型化に応じてケース体１２０を大型化しつつ、ケース体１２０の着脱作業性の向上を図ることができる。
【０１１５】
しかも、液晶モジュール１００はケース体１２０に取り付けられているので、ケース体１２０と一緒に遊技板１１に対して着脱でき、液晶モジュール１００の着脱の作業性が向上する。
【０１１６】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【０１１７】
（１）前記一実施形態では、パチンコ遊技機１０に本発明を適用していたが、遊技機であれば、コイン遊技機やスロットマシン等に適用してもよい。
【０１１８】
（２）前記一実施形態では、第１ガイド部１６７の第１傾斜面１６７Ａと第２ガイド部１６８の第２傾斜面１６８Ａとが一定角度で傾斜した平面であったが、図２３（Ａ）に示す第１ガイド部１７０及び第２ガイド部１７１のように、上方に突出した湾曲面１７０Ａ，１７１Ａであってもよい。また、上記一実施形態における第１ガイド部１６７及び第２ガイド部１６８の幅方向（水平方向）の寸法をより短くして、例えば、図２３の（Ｂ）に示す第１ガイド部１７２及び第２ガイド部１７３のように薄板形状としてもよい。
【０１１９】
（３）前記一実施形態及び前記他の実施形態（２）では、第１ガイド部１６７，１７０，１７２及び第２ガイド部１６８，１７１，１７３がそれぞれ２つずつ設けられていたが、第１ガイド部１６７，１７０，１７２及び第２ガイド部１６８，１７１，１７３をそれぞれ１つ或いは３つ以上設けてもよい。
【０１２０】
（４）前記一実施形態では、ケース体突部１６０Ｔの後面が後面係止壁１６３に係止することで、ケース体１２０と係止ボックス１６１とが係止されていたが、例えば、図２４に示すように、後面係止壁１６３の内面に、先端部が膨出した係止突部３００を設けておき、ケース体突部１６０Ｔが後面係止壁１６３側に所定値以上の力で押し付けられた場合に、ケース体突部１６０Ｔに形成された係止孔３０１に係止突部３００が圧入されて係止する（図２４の（Ｂ）の状態）一方、ケース体突部１６０Ｔが所定値以上の力で後面係止壁１６３から離れる方向に引っ張られた場合に、係止突部３００が係止孔３０１から抜けて係止が解除される（図２４の（Ａ）の状態）ような圧入係止構造を構成していてもよい。
【０１２１】
また、ケース体突部１６０Ｔの後面と後面係止壁１６３の内面とにそれぞれ面ファスナー或いは磁石を設けておき、面ファスナー同士の係着或いは磁力によって係止フック１６０と係止ボックス１６１とが係止するようにしてもよい。
【０１２２】
（５）前記一実施形態では、後側表示枠３３の係止ボックス１６１に挿入したケース体１２０のケース体突部１６０Ｔを中心にしてケース体１２０を回動させていたが、ケース体１２０と後側表示枠３３との間にヒンジを設けて両者を連結し、このヒンジを中心にしてケース体１２０を回動させる構成としてもよい。
【０１２３】
（６）前記一実施形態では、係止ボックス１６１と脚部支持片１６６とを後側表示枠３３に設けていたが、これらを遊技板１１の後面に設けてもよいし、係止ボックス１６１を遊技板１１の後面に設け脚部支持片１６６を後側表示枠３３に設けてもよい。
【０１２４】
（７）前記一実施形態では、ケース体１２０には、液晶モジュール１００が収容されていたが、パチンコ遊技機１０を構成する他の構成部品（例えば、回路基板やモータ等）を収容していてもよい。
【０１２５】
（８）前記一実施形態では、嵌合ボス部１５０とボス受容部１５１とを雄螺子１４０によって後側表示枠３３に固定していたが、ピンやナイラッチで固定してもよい。また、回動操作によりケース体１２０の後面の一部に重なった係止位置とケース体１２０の後面側から退避した非係止位置との間で変位する係止レバーによって、ケース体１２０の着脱操作窓７７から露出した部分を遊技板１１の後面側に固定するようにしてもよい。
【０１２６】
（９）前記一実施形態では、ケース体１２０が係止フック１６０を中心に下方に大きく垂れ下がった状態で後側表示枠３３に向かって回動された場合に、ケース体１２０がその回動の過程で第１ガイド部１６７により中継位置まで案内され、中継位置から第２ガイド部１６８により正規取付位置まで案内されるように構成されていたが、以下のような構成としてもよい。即ち、ケース体１２０が係止フック１６０を中心に下方に大きく垂れ下がった状態で後側表示枠３３に向かって回動された場合に、ケース体１２０が第１ガイド部１６７に摺接して正規取付位置に近づいた第１の近接位置まで案内され、続いて第２ガイド部１６８に摺接して、更に正規取付位置に近づいた第２の接近位置まで案内するようにしてもよい。このようにすれば、ケース体１２０を正規取付位置の接近位置まで案内することができるので、組付作業を従来よりも効率よく行うことができる。
【０１２７】
（１０）前記一実施形態では、ケース体１２０をケース装着姿勢（図１７を参照）にして、ケース体１２０のケース体突部１６０Ｔを後側表示枠３３の係止ボックス１６１に挿入していたが、ケース体１２０の後壁１２１と後側表示枠３３の表示盤対向窓３６とを平行にして対向させると共に、図２５に示すように、ケース体突部１６０Ｔが係止ボックス１６１の突部挿入開口１６５に臨んだ状態とし、このケース体突部１６０Ｔを係止ボックス１６１の奥壁１６４に向かって水平横方向に移動させて係止ボックス１６１に挿入する構成にしてもよい。
【０１２８】
（１１）前記一実施形態では、ケース体突部１６０Ｔを係止ボックス１６１に係止させた状態で、ケース体突部１６０Ｔを中心にケース体１２０を後側表示枠３３に向けて回動して正規取付位置に配置していたが、ケース体突部１６０Ｔを係止ボックス１６１に係止させた状態で、ケース体１２０の全体を、パチンコ遊技機１０の前後方向において後側表示枠３３に近づけるように直動させて正規取付位置に配置してもよい。
【０１２９】
ところで、ケース体１２０を後側表示枠３３に向かって直動させる間にケース体１２０がケース体突部１６０Ｔを中心として下方に垂れ下がった場合には、前記一実施形態と同様に、第１ガイド部１６７と第２ガイド部１６８とによってケース体１２０を正規取付位置に案内することができる。即ち、ケース体１２０の垂れ下がり量Ｌが比較的小さい状態でケース体１２０を後側表示枠３３に向かって直動させると、その途中でボス受容部１５１が第２ガイド部１６８に当接する。ケース体１２０を更に後側表示枠３３に向けて直動するとボス受容部１５０が第２ガイド部１６９に摺接してケース体１２０が持ち上げられ、正規取付位置まで案内される。
【０１３０】
また、ケース体１２０の垂れ下がり量Ｌが比較的大きい状態でケース体１２０を後側表示枠３３に向かって直動させると、その途中で、ケース体１２０の前縁部が第１ガイド部１６７に当接する。ケース体１２０を更に後側表示枠３３に向けて直動するとケース体１２０の前縁部が第１ガイド部１６７に摺接することでケース体１２０の全体が持ち上げられ中継位置まで案内される。中継位置に案内されると、ケース体１２０のボス受容部１５１が第２ガイド部１６８に当接する。そして、この位置から更に後側表示枠３３に向けて直動するとボス受容部１５１が第２ガイド部１６８に摺接してケース体１２０が更に持ち上げられ正規取付位置まで案内される。このように、ケース体１２０の垂れ下がりの大小にかかわらず、ケース体１２０が正規取付位置まで案内されるので、組付作業を従来よりも効率よく行うことができる。
【図面の簡単な説明】
【０１３１】
【図１】本発明の一実施形態に係るパチンコ遊技機の正面図
【図２】パチンコ遊技機の背面図
【図３】パチンコ遊技機の分解斜視図
【図４】ケース体を取り付けた状態の遊技板の背面図
【図５】表示枠体の斜視図
【図６】表示装置の側断面図
【図７】後側表示枠及びケース体の斜視図
【図８】ケース体及び液晶モジュールの斜視図
【図９】液晶モジュールの分解斜視図
【図１０】液晶モジュールの部分断面図
【図１１】（Ａ）液晶モジュールを収容したケース体の正面図（Ｂ）ケース体の部分断面図
【図１２】ケース体の断面図
【図１３】後側表示枠の背面図
【図１４】後側表示枠の断面図
【図１５】遊技板の後面側の断面図
【図１６】遊技板の後面側の断面図
【図１７】遊技板の後面側の断面図
【図１８】遊技板の後面側の断面図
【図１９】ケース体を回動操作している状態のケース体及び後側表示枠の背面図
【図２０】図１９のＡ−Ａ’線矢印方向から見た断面図
【図２１】ケース体を回動操作している状態のケース体及び後側表示枠の背面図
【図２２】図２１のＢ−Ｂ’線矢印方向から見た断面図
【図２３】（Ａ）他の実施形態（２）に係る後側表示枠の斜視図（Ｂ）他の実施形態（２）に係る後側表示枠の斜視図
【図２４】他の実施形態（４）に係る係止フックと係止ボックスの断面図
【図２５】他の実施形態（１０）に係る係止フックと係止ボックスの部分断面図
【符号の説明】
【０１３２】
３３    後側表示枠（固定ベース）
１０    パチンコ遊技機（遊技機）
１２０    ケース体
１５０    嵌合ボス部（凹凸嵌合部）
１５１    ボス受容部（固定部、突出部材、凹凸嵌合部）
１６０    係止フック（固定補助部）
１６０Ｋ    脚部
１６０Ｔ    ケース体突部
１６１    係止ボックス（ベース側係止部）
１６２    挟持対向壁
１６３    後面係止壁
１６５    突部挿入開口
１６６    脚部支持片
１６７，１７０，１７２    第１ガイド部
１６８    第１傾斜面
１６８，１７１，１７３    第２ガイド部
１６８Ａ    第２傾斜面
【図１】
2006304828.tif 000003
【図２】
2006304828.tif 000004
【図３】
2006304828.tif 000005
【図４】
2006304828.tif 000006
【図５】
2006304828.tif 000007
【図６】
2006304828.tif 000008
【図７】
2006304828.tif 000009
【図８】
2006304828.tif 000010
【図９】
2006304828.tif 000011
【図１０】
2006304828.tif 000012
【図１１】
2006304828.tif 000013
【図１２】
2006304828.tif 000014
【図１３】
2006304828.tif 000015
【図１４】
2006304828.tif 000016
【図１５】
2006304828.tif 000017
【図１６】
2006304828.tif 000018
【図１７】
2006304828.tif 000019
【図１８】
2006304828.tif 000020
【図１９】
2006304828.tif 000021
【図２０】
2006304828.tif 000022
【図２１】
2006304828.tif 000023
【図２２】
2006304828.tif 000024
【図２３】
2006304828.tif 000025
【図２４】
2006304828.tif 000026
【図２５】
2006304828.tif 000027